(57)【要約】【課題】ファインダを覗きながら撮影者がタッチパネルを操作するときの操作性を向上させる。【解決手段】被写体光像を観察可能な光学式ファインダと表示装置の表示画像からの光像を前記光学式ファインダにおいて観察される被写体光像に重畳する電子式ファインダとを併せ持つファインダと、焦点距離を変更可能な撮影レンズと、前記撮影レンズを通して被写体からの入射光を受光して被写体光像に応じた撮像画像信号を出力する固体撮像素子と、前記光学式ファインダにおいて観察される被写体光像上の位置をタッチ操作によって指定するタッチパネルとを備える撮像装置において、前記タッチパネル上においてタッチ操作を行えるタッチ領域のサイズを前記焦点距離が大きいほど小さく変更し、かつ、該タッチ領域のサイズが、前記タッチ操作可能な最小限界である限界サイズよりも小さくなるのを制限する（ステップＳ５，Ｓ６）。【選択図】図８
2013080996.tif 000002
【特許請求の範囲】
【請求項１】
被写体光像を観察可能な光学式ファインダと表示装置の表示画像からの光像を前記光学式ファインダにおいて観察される被写体光像に重畳する電子式ファインダとを併せ持つファインダと、焦点距離を変更可能な撮影レンズと、前記撮影レンズを通して被写体からの入射光を受光して被写体光像に応じた撮像画像信号を出力する固体撮像素子と、前記光学式ファインダにおいて観察される被写体光像上の位置をタッチ操作によって指定するタッチパネルと、該タッチパネル上においてタッチ操作を行えるタッチ領域のサイズを前記焦点距離が大きいほど小さく変更し、かつ、該タッチ領域のサイズが、前記タッチ操作可能な最小限界である限界サイズよりも小さくなるのを制限する制御手段とを備える撮像装置。
【請求項２】
請求項１に記載の撮像装置であって、前記制御手段は、前記タッチ領域の最大サイズと前記限界サイズとの間で、前記焦点距離に対して単調減少するように前記タッチ領域のサイズを変更する撮像装置。
【請求項３】
請求項１又は請求項２に記載の撮像装置であって、前記光学式ファインダの倍率を前記焦点距離に応じて段階的に変更する変倍手段を備え、前記制御手段は、前記光学式ファインダの倍率にかかわらず前記焦点距離を変更可能な範囲に渡って、該焦点距離に応じて単調減少するように前記タッチ領域のサイズを変更する撮像装置。
【請求項４】
請求項２又は請求項３に記載の撮像装置であって、前記制御手段は、前記撮影レンズの撮影領域が前記光学式ファインダの視野範囲よりも大きくなる前記焦点距離の範囲では、前記限界サイズと前記最大サイズとの間で、前記焦点距離に対して単調増加するように前記タッチ領域のサイズを変更する撮像装置。
【請求項５】
請求項１乃至請求項４のいずれか１項に記載の撮像装置であって、手振れを検出する手振れ検出手段を備え、前記制御手段は、前記手振れが大きいほど前記タッチ領域のサイズを大きく補正する撮像装置。
【請求項６】
請求項１乃至請求項４のいずれか１項に記載の撮像装置であって、手振れを検出する手振れ検出手段と、前記手振れの大きさが閾値未満の場合は、前記タッチ操作で指定した位置に基づいて、前記光学式ファインダにおいて観察される被写体光像上の領域を決定し、前記手振れの大きさが閾値以上の場合は、前記被写体光像上の複数の部分領域のうちの少なくとも１つを、前記タッチ操作で指定した位置の変化に応じて選択する領域決定手段とを備えた撮像装置。
【請求項７】
被写体光像を観察可能な光学式ファインダと表示装置の表示画像からの光像を前記光学式ファインダにおいて観察される被写体光像に重畳する電子式ファインダとを併せ持つファインダと、焦点距離を変更可能な撮影レンズと、前記撮影レンズを通して被写体からの入射光を受光して被写体光像に応じた撮像画像信号を出力する固体撮像素子と、前記光学式ファインダにおいて観察される被写体光像上の位置をタッチ操作によって指定するタッチパネルとを備える撮像装置の制御方法であって、前記タッチパネル上においてタッチ操作を行えるタッチ領域のサイズを前記焦点距離が大きいほど小さく変更し、かつ、該タッチ領域のサイズが、前記タッチ操作可能な最小限界である限界サイズよりも小さくなるのを制限する撮像装置の制御方法。
【発明の詳細な説明】
【技術分野】
【０００１】
本発明は、光学式ビューファインダと電子式ビューファインダの両方を併せ持つファインダを搭載した撮像装置に係り、特に、撮像画像を表示する表示部に設けられたタッチパネル機能とファインダ機能とを組み合わせて撮像装置を制御する方法に関する。
【背景技術】
【０００２】
固体撮像素子を搭載し、撮像画像データをカメラ内でデジタル処理して記録媒体に保存するデジタルカメラにも、従来は、光学式ビューファインダ（以下、ＯＶＦとも記す。）が設けられ、撮影者はファインダを覗き、被写体の構図などを確認してから、シャッタボタンを押す様になっていた。光学式ビューファインダは、被写体の実際の光像をそのまま覗くことができるため、動きのある被写体であっても、シャッタチャンスを逃すことなく、シャッタボタンを押すことができるという利点がある。
【０００３】
しかし、近年のデジタルカメラは、光学式ビューファインダを設けずに、カメラ背面に設けた大型液晶表示装置に固体撮像素子から出力されるスルー画像を表示し、ファインダ代わりとするのが一般的となっている。そして、特許文献１に記載されている様に、大型液晶表示装置にタッチパネルを取り付け、表示画面上の主要被写体画像を指先でタッチし指定することにより、その主要被写体にピントを合わせたり、露出を合わせる様になっている。
【０００４】
しかしながら、カメラ背面の大型液晶表示装置にスルー画像を表示する形式のデジタルカメラでは、このスルー画像を確認するためにカメラを顔から離して見なければならず、シャッタボタンを押したとき手振れが発生してしまうという問題がある。また、固体撮像素子から出力され画像処理されたスルー画像を表示するため、実際の被写体の状態に比べて若干のタイムラグが存在し、表示画面上で確認した画像とは異なる、時間がずれた画像が撮像されてしまうという課題もある。
【０００５】
スルー画像を大型液晶表示装置に表示するデジタルカメラでも、光学式ビューファインダを搭載したものがある。この様なデジタルカメラでは、下記の特許文献２に記載されている様に、撮影者は光学式ビューファインダを覗きながら、大型液晶表示装置に取り付けられたタッチパネルを指先でタッチ操作し、シャッタ速度や測距点等を操作することができるものもある。
【０００６】
しかし、この従来技術では、光学式ビューファインダを通して見える範囲と、撮影レンズを通し固体撮像素子（イメージセンサ）に受光されスルー画像として表示される範囲との差つまりパララックスについて考慮していないため、タッチパネルを通して操作する対象は、パララックスとは関係ない情報に限られてしまう。
【０００７】
光学式ビューファインダの代わりに、電子式ビューファインダ（以下、ＥＶＦとも記す。）を搭載したデジタルカメラもある。電子式ビューファインダは、小さなファインダの覗き窓内に小型液晶表示装置を設け、ここに固体撮像素子から出力されるスルー画像を表示し、撮影者に被写体の構図などを確認させるものである。
【０００８】
この電子ビューファインダは、スルー画像を表示する小型液晶表示装置の画素数が少ないため、粗い画像しか表示できず、撮影者が被写体の細かな部分の確認ができないという課題がある。また、上記と同様に、固体撮像素子から出力され画像処理されたスルー画像を表示するため、実際の被写体の状態に比べて若干のタイムラグが存在するという課題もある。
【０００９】
光学式ビューファインダと電子式ビューファインダとは上述した様に一長一短があるため、例えば下記の特許文献３に記載されている様なファインダ装置が考えられている。
【００１０】
このファインダ装置は、光学式ビューファインダの光路の途中に斜め４５度のハーフミラーを置き、このハーフミラーに、小型液晶表示装置の画面に表示した画像の光を投射する構成となっている。そして、光学式ビューファインダを通した被写体の光像と、小型液晶表示装置の表示画面（電子ビューファインダの表示画像）の画像のいずれか一方を選択してファインダ窓を通して撮影者の目に投影し、或いは、両者を混合して撮影者の目に投影する様になっている。
【先行技術文献】
【特許文献】
【００１１】
【特許文献１】特開平１１―３５５６１７号公報
【特許文献２】特開２００８―２６８７２６号公報
【特許文献３】特開平３―２９２０６７号公報
【発明の概要】
【発明が解決しようとする課題】
【００１２】
特許文献３に記載されているファインダは、光学式ビューファインダ像が直接透過するため、鮮明で、しかも、被写体の動きに対して電気的なタイムラグがなく、即時性の高い撮影が可能となる、一方、オートフォーカス（ＡＦ）やマニュアルフォーカス（ＭＦ）での合焦位置や、ホワイトバランス（ＷＢ）の設定効果等は、電子式ビューファインダの小型液晶表示装置に表示すれば良く、両者の長所を利用することが可能となる。
【００１３】
しかし、ここで問題となるのが上述したパララックスの問題であり、カメラ背面の液晶表示装置等に取り付けられているタッチパネルを併用してカメラ操作を行う構成とした場合、光学式ビューファインダを通して撮影者が見ている光学像上の位置と、タッチ位置とが一致しないと、使い勝手が悪くなってしまう。
【００１４】
撮影者は、光学式ビューファインダを覗いているため、タッチ操作はブラインドタッチになっており、パララックスのために、光学式ビューファインダを覗くのを一々止めてタッチパネル上でのタッチ位置を確認するのでは、光学式ビューファインダを用いる利点を阻害することになってしまう。
【００１５】
特に、近年のカメラは、ズームレンズを搭載したり、レンズ交換式が多くなっており、光学式ビューファインダを通して見る光学像の見える範囲とタッチ位置との間の差がズーム毎に又はレンズ交換毎に異なってくる。そこで、操作性が高く使い勝手の良い操作方法の開発が望まれている。
【００１６】
本発明の目的は、光学式ファインダと電子式ファインダとを併せ持つファインダを搭載した撮像装置で、ファインダを通して得られる被写体光学像から目を離すことなくタッチパネルを用いて各種操作を精度良く直感的に行うことができる撮像装置及びその制御方法を提供することにある。
【課題を解決するための手段】
【００１７】
本発明の撮像装置及びその制御方法は、被写体光像を観察可能な光学式ファインダと表示装置の表示画像からの光像を前記光学式ファインダにおいて観察される被写体光像に重畳する電子式ファインダとを併せ持つファインダと、焦点距離を変更可能な撮影レンズと、前記撮影レンズを通して被写体からの入射光を受光して被写体光像に応じた撮像画像信号を出力する固体撮像素子と、前記光学式ファインダにおいて観察される被写体光像上の位置をタッチ操作によって指定するタッチパネルとを備える撮像装置において、前記タッチパネル上においてタッチ操作を行えるタッチ領域のサイズを前記焦点距離が大きいほど小さく変更し、かつ、該タッチ領域のサイズが、前記タッチ操作可能な最小限界である限界サイズよりも小さくなるのを制限することを特徴とする。
【発明の効果】
【００１８】
本発明によれば、ファインダを通して得られる被写体光学像から目を離すことなく、撮影者は違和感無くタッチパネルを用いて各種操作を精度良く直感的に行うことが可能となる。
【図面の簡単な説明】
【００１９】
【図１】本発明の一実施形態に係るデジタルカメラの外観斜視図である。
【図２】図１に示すデジタルカメラの機能ブロック構成図である。
【図３】図１のデジタルカメラの背面図である。
【図４】図１のデジタルカメラに搭載されているファインダを通して得られる被写体光像と撮影画角枠とＡＦエリア枠（フォーカスエリア枠）とを示す図である。
【図５】図１に示すファインダを通した視野内におけるズーム前後の撮影画角枠の変化前（ａ）と変化後（ｂ）を示す図である。
【図６】図５に対応したタッチパネルのズーム前後の操作領域（タッチ領域）の変化前（ａ）と変化後（ｂ）を示す図である。
【図７】本発明の実施形態に係るタッチ領域限界サイズの説明図である。
【図８】本発明の第１の実施形態に係るタッチ領域の大きさを制御する処理手順を示すフローチャートである。
【図９】本発明の第１実施形態に係るタッチ領域の補正前と補正後を示すグラフである。
【図１０】変倍ズームファインダを用いたときの不具合説明図である。
【図１１】図１０で説明した不具合を解決する本発明の第２実施形態に係るタッチ領域の補正説明図である。
【図１２】本発明の第２実施形態に係るタッチ領域の大きさを制御する処理手順を示すフローチャートである。
【図１３】変倍ズームファインダと撮影レンズとの組み合わせで起きる不具合説明図である。
【図１４】変倍ズームファインダと撮影レンズとの組み合わせで起きる別の不具合説明図である。
【図１５】変倍ズームファインダと撮影レンズとの組み合わせで起きる更に別の不具合説明図である。
【図１６】図１３，図１４，図１５で説明した本発明の第３実施形態に係るタッチ領域の補正説明図である。
【図１７】本発明の第３実施形態に係るタッチ領域の大きさを制御する処理手順を示すフローチャートである。
【図１８】本発明の第４実施形態に係る手振れによるタッチ領域の補正説明図である。
【図１９】本発明の第４実施形態に係るタッチ領域の大きさを制御する処理手順を示すフローチャートである。
【図２０】本発明の第５実施形態に係るタッチ領域内のフォーカスエリアの移動制御説明図である。
【図２１】本発明の第５実施形態に係るタッチ領域内のフォーカスエリアの移動制御処理手順を示すフローチャートである。
【発明を実施するための形態】
【００２０】
以下、本発明の一実施形態について、図面を参照して説明する。
【００２１】
図１は、本発明の一実施形態に係るファインダ付き撮像装置（デジタルカメラ）の外観斜視図である。本実施形態の撮像装置１０は、横長矩形の筐体１１を備え、筐体１１の正面中央には、交換可能な撮影レンズ１３が着脱自在に取り付けられている。撮影レンズ１３内には、後述するフォーカスレンズやズームレンズ等が収納されている。
【００２２】
筐体１１の上端面の片側にはシャッタレリーズボタン１４が設けられ、シャッタレリーズボタン１４とは反対側の角の筐体１１内に、詳細は後述するファインダ装置１５が設けられている。ファインダ装置１５の被写体側ファインダ窓１６が、筐体１１正面の角部に設けられ、その背面側に、ファインダ装置１５の撮影者側覗き窓１７が設けられている。
【００２３】
図２は、図１に示す撮像装置１０の内部ブロック構成図である。撮像装置１０は、撮像素子チップ２１と、撮像素子チップ２１の前段に置かれた撮影レンズ光学系１３とを備える。
【００２４】
撮像素子チップ２１は、ＣＭＯＳ型やＣＣＤ型等の単板式カラー画像撮像用の固体撮像素子２１ａと、撮像素子２１ａの出力信号（撮像画像信号）をアナログ信号処理するＣＤＳＡＭＰ（相関二重サンプリング（ＣＤＳ），利得制御増幅器（ＡＭＰ））２１ｂと、ＣＤＳＡＭＰ２１ｂのアナログ出力信号をデジタル信号に変換するアナログデジタル（Ａ／Ｄ）変換器２１ｃとを備える。
【００２５】
撮影レンズ光学系１３は、ズームレンズ１３ａと、フォーカス用レンズ１３ｂと、絞り（アイリス）１３ｃ等を備える。
【００２６】
撮像装置１０は、更に、Ａ／Ｄ変換器２１ｃから出力されるデジタル信号でなる撮像画像信号を取り込む画像入力コントローラ３１と、この撮像装置１０の全体を統括制御するシステム制御部（演算処理装置：ＣＰＵ）３２と、撮像画像信号を画像処理する画像信号処理回路（ＤＳＰ）３３と、固体撮像素子２１ａから出力される画像データから焦点位置を検出するＡＦ検出回路３４と、露出量，ホワイトバランスを自動検出するＡＥ＆ＡＷＢ検出回路３５と、ワークメモリとして使用するＳＤＲＡＭ３６と、画像処理後の撮像画像データをＪＰＥＧ画像やＭＰＥＧ画像に圧縮する圧縮処理回路３９と、カメラ背面等に設けられた液晶表示装置４０やファインダ装置１５内の液晶表示装置（ＥＶＦ）６１に撮像画像やスルー画像，各種撮影情報を表示する表示制御回路４１と、記録メディア４２に撮像画像データを保存するメディアコントローラ４３と、これらを相互接続するバス４４とを備える。
【００２７】
液晶表示装置４０とＥＶＦ６１とは、ユーザからの指示入力に基づいて排他的にいずれか一方のみ画像データを表示する構成になっている。また、液晶表示装置４０には、図示省略のタッチパネルが取り付けられており、タッチパネルからの入力指示信号はＣＰＵ３２に伝送される。
【００２８】
この撮像装置１０は、更に、ズームレンズ１３ａの駆動モータに駆動パルスを供給するモータドライバ４６と、フォーカスレンズ１３ｂの位置を駆動するモータに駆動パルスを供給するモータドライバ４７と、絞り１３ｃの絞り位置制御を行う駆動モータに駆動パルスを供給するモータドライバ４８と、固体撮像素子２１ａに駆動タイミングパルス（電子シャッタパルス，読み出しパルス等）を供給するタイミングジェネレータ４９と、ファインダ装置１５内の後述する液晶シャッタ（ＯＶＦシャッタ）６２を駆動する液晶ドライバ５３や変倍レンズ６４を駆動するモータドライバ５４とを備える。
【００２９】
これらは、ＣＰＵ３２からの指令に基づいて動作する。また、ＣＤＳＡＭＰ２１ｂもＣＰＵ３２からの指令に基づいて動作する。ＣＰＵ３２には操作部５０が接続され、シャッタボタンを含む操作部５０からの入力指示に基づいてＣＰＵ３２は動作する。
【００３０】
ファインダ装置１５は、被写体側ファインダ窓１６と撮影者側覗き窓１７との間に、ＯＶＦシャッタ６２と、２段構成の変倍レンズ６４ａ，６４ｂと、対物レンズ６５と、ハーフミラー６３を内部に持つプリズム６６とがこの順に収納されている。本実施形態では、段の変倍レンズを備えるが、１つの変倍レンズだけでも，３つ以上の変倍レンズを備える場合もあり、或いは変倍レンズは用いずに、撮影レンズ光学系がズームしても、ファインダ内の視野を変更させない場合もある。
【００３１】
ハーフミラー６３は、好適には、５０％の光を透過し５０％の光を反射する例えば銀膜などで構成されるが、この比率に限るものではない。他の比率、例えば、７０％（または６０％）の光を透過し３０％（または４０％）の光を反射する膜でも良く、或いは逆に、３０％（または４０％）の光を透過し７０％（または６０％）の光を反射する膜でも良く、透過光と反射光とが両方存在すればよい。
【００３２】
ハーフミラー６３は、被写体からの入射光軸Ｌに対して斜め４５度に設置されており、ハーフミラー６３に隣接し且つ入射光軸Ｌに対し平行にＥＶＦ用の前述の液晶表示装置６１が設けられている。これにより、ハーフミラー６３を透過した被写体からの入射光と、液晶表示装置６１から発せされハーフミラー６３で反射した光とが重なった状態で撮影者の目に投影される。
【００３３】
液晶表示装置６１の表示情報は、固体撮像素子２１ａから出力されるスルー画像情報や、撮影後の撮影画像情報であるが、シャッタ速度や露出値，ＡＦエリア枠（フォーカスエリア枠）等の撮影条件情報も表示される。
【００３４】
ＯＶＦシャッタ６２を「開」状態とし且つＥＶＦ用表示装置６１を非表示とすることで、ファインダ装置１５を光学式ビューファインダ（ＯＶＦ）だけで使用でき、ＯＶＦシャッタ６２を「閉」状態とし且つＥＶＦ用表示装置６１を表示することで、ファインダ装置１５を電子ビューファインダ（ＥＶＦ）だけで使用することもできる。
【００３５】
また、ＥＶＦ用表示装置６１に撮影情報等の情報を表示させ、ＯＶＦシャッタ６２を「開」状態とすることで、被写体の構図を光学式ビューファインダを通した被写体光学像で確認しながら、撮影条件情報を同時に同一ファインダ枠内で確認することができる。
【００３６】
本実施形態に係る撮像装置１０は、カメラ背面の液晶表示装置４０に設けられたタッチパネルを入力操作に使用し、タッチパネル上で指先でタッチ指示した内容をＥＶＦ用表示装置６１内に表示することにしている。
【００３７】
例えば、ＥＶＦ用表示装置６１内に表示されたＡＥエリア枠をタッチ操作で移動させてピントを合わせる被写体を選択できる。このタッチパネルによる入力指示は、液晶表示装置４０に情報を表示していない状態つまり液晶表示装置４０が消灯状態でも行える構成になっている。
【００３８】
以下に述べる実施形態では、タッチパネルとファインダのＥＶＦ表示情報とを組み合わせることで各種入力操作を行うのであるが、ファインダを覗きながらのタッチパネルの操作であるため、つまり、ブラインドタッチによる操作であるため、その操作のし易さに問題が生じる。更に、撮影レンズ光学系１３が交換されたときや、撮影レンズ光学系１３のズーム倍率とファインダ装置１５内におけるズーム倍率とが整合しないとき、タッチパネル上の操作可能領域が変更されるため、これに対しての使い勝手も問題となる。以下、これらの問題を解決する実施形態について説明する。
【００３９】
図３は、デジタルカメラ１０の背面図である。左肩にファインダ装置１５が内蔵されたカメラ１０の背面には、液晶表示装置４０が設けられている。この液晶表示装置４０には、タッチパネルが取り付けられている。
【００４０】
このファインダ装置１５の図２の液晶シャッタ６２を開けると共に、ＥＶＦ６１にも情報を表示する。図４に示す例では、光学式ビューファインダを通して得られる被写体光学像に、ＥＶＦ６１に表示したＡＦエリア枠７０が重ねて表示されている。
【００４１】
撮影者は、ファインダ窓１７を覗きながら、ＡＦエリア枠７０が中抜け状態で主要被写体に合わず、遠方に合焦してしまう虞があることを知ったとき、ファインダ装置１５を覗きながらタッチパネルを起動し、タッチパネルに触れた指先を移動させることで、ＡＦエリア枠７０を所望のフォーカス位置に移動させる。例えば人物光像上に移動させる。これにより、撮影画像が意図しないピントになることを防ぐことができる。
【００４２】
この様に、ＡＦエリア枠７０の位置をタッチパネルを通して制御する場合、レンズ交換式のカメラでは、光学式ビューファインダによる被写体光学像の表示領域（視野範囲）が、撮影レンズの撮影領域に対して１：１に対応しないため、撮影レンズ１３をズームしたとき、ファインダ装置１５内の変倍レンズ６４ａ，６４ｂが撮影レンズ１３に伴って１：１にズームできず、光学式ビューファインダを通した被写体光学像の画角と、撮影レンズ１３を通して撮影される被写体画像の画角（撮影画角）とが一致しない。
【００４３】
撮影レンズ１３がズームされたとき、ファインダ内の被写体光学像の表示領域（視野範囲）と、撮影レンズ１３を通した撮像領域の画角とが一致しない場合には、図５に示す様に、電子式ビューファインダの表示画像として画角枠７１を表示させて撮影範囲を撮影者に提示する。図５（ａ）はズーム前の画角枠７１を示し、図５（ｂ）はズーム後の画角枠７１を示している。ズーム後の画角枠７１内にあるＡＦエリア枠７０は、当然に、ズーム前の画角枠ＡＦエリア枠７０より縮小されることになる。
【００４４】
このときに、図６（ａ）及び図６（ｂ）に示す様に、タッチパネル上におけるタッチ領域（タッチ操作可能領域）７２も、ズームに合わせて縮小しないと、タッチ操作上の違和感が生じる。
【００４５】
しかし完全に撮影レンズ１３のズームに合わせてタッチ領域７２のサイズを縮小してしまうと、タッチエリアが小さくなり過ぎてしまい、指先でのタッチ操作が困難となる。図６（ｂ）のタッチ領域７２内でもＡＦエリア枠７０を指し示す領域も小さくなり、ＡＦエリア枠７０の位置を自在に設定することが難しくなってしまう。
【００４６】
しかしながら、その一方で、撮影レンズ１３をズームした後でも、タッチ領域７２のサイズを、図６（ａ）に示すズーム前の最大サイズにしてしまうと、ＡＦエリア枠７０の位置操作は安定してできるが、実際に見えている大きさに対して指先を動かす量が大きくなるため、タッチ操作に違和感が生じ、結果として操作性を悪化させてしまう。
【００４７】
そこで、本実施形態では、撮影レンズ１３の画角と光学式ビューファインダ（ＯＶＦ）の画角から、タッチ領域７２のサイズを、撮影レンズ１３のズームに対応した大きさと異なる大きさに決定する。図７で説明すると、タッチ領域を最大サイズを「７２ａ」とし、ズーム倍率に対応したタッチ領域を「７２ｂ」としたとき、実際のタッチ領域７２ｃを、「タッチ領域の最大サイズ７２ａ＞タッチ領域７２ｃ＞ズーム倍率対応のタッチ領域サイズ７２ｂ」にする。
【００４８】
図８は、図７のタッチ領域７２ｃの大きさを決定する処理手順を示すフローチャートであり、図２のＣＰＵ３２が実行する。先ず、ステップＳ１で、カメラ１０に搭載されているタッチパネルの情報を取得する。即ち、タッチポイントを押し分けられる最小の限界サイズのデータを取得する。例えばズームに従ってＡＦエリア枠７０があまりに小さくなり過ぎると、ＡＦエリア枠７０を指先で移動指定させるのが困難となるため、予め画角内をＡＦエリア枠７０の数（例：５×５）で分割した際に、各分割エリア中央間の間隔が操作可能な距離（例えば０．５ｍｍ程度）を持つタッチ領域７２ｃの限界サイズデータを、ＣＰＵ３２内のＲＯＭに記録しておく。
【００４９】
次のステップＳ２では、光学式ビューファインダの画角情報を取得し、ステップＳ３で、撮影レンズ１３のレンズ情報を取得する。即ちに、撮影レンズ１３のワイド端の画角情報とテレ端の画角情報を取得する。ステップＳ４では、レンズ情報と光学式ビューファインダの画角情報を比較することで、最大サイズを決定する。即ち、ワイド端の画角（撮影領域）と光学式ビューファインダの画角（視野）とが１：１に対応するときのサイズをタッチ領域７２の最大サイズと定義する。
【００５０】
次のステップＳ５では、最大ズーム時（テレ端）にタッチ領域が限界サイズより小さくなるか否かを判定する。そして、その判定結果が肯定（Ｙｅｓ）の場合には、ステップＳ６に進み、ズームしてテレ端となった時のタッチ領域を限界サイズの大きさに設定し（即ち、タッチ領域を限界サイズ以下にはしない。）、図９に示す様に、中間ズーム時のタッチ領域（タッチエリア）の大きさを、最大サイズと限界サイズをつなぐような比で補正する。
【００５１】
ステップＳ６の次にステップＳ７に進む。また、ステップＳ５の判定結果が否定（Ｎｏ）の場合には、タッチ領域の拡大補正は必要ないためステップＳ６を飛び越してステップＳ７に進む。このステップＳ７では、ファインダ装置１５の光学式と電子式のファインダを両方用いているか否かを判定し、光学式ビューファインダ又は電子式ビューファインダの一方しか用いていない場合には、この処理を終了する。
【００５２】
光学式ビューファインダ及び電子式ビューファインダの両方を使用している場合には、ステップＳ７からステップＳ８に進み、撮影レンズ１３のレンズ情報と光学式ビューファインダの情報から、図５に示す画角枠７１を表示する。そして次のステップＳ９で、この画角枠７１に対応するタッチパネル上でタッチ操作を可能とするタッチ領域を設定する。
【００５３】
次のステップＳ１０では、タッチパネル操作の有無を判定する。タッチパネル操作「有り」の場合には次のステップＳ１１で撮影レンズ１３のズーム操作の有無を判定し、ズーム操作「有り」の場合にはステップＳ９に戻ってタッチ領域の再設定を行い、ズーム操作「無し」の場合またはタッチパネル操作「無し」の場合にはこの処理を終了する。
【００５４】
撮影者がファインダ装置１５を覗いているとき、タッチパネル上のどこを指先でタッチしているかは見えない。しかし、本実施形態では、ＡＦエリア枠７０をファインダ装置１５のＥＶＦ６１に表示するため、ＡＦエリア枠７０の移動操作をタッチパネル上で精度良く行うことが可能となり、間違った位置にピントを合わせて撮影してしまう虞がなくなる。勿論、タッチパネル上を指で触っている位置をポインタとしてＥＶＦ６１上に表示することも可能である。
【００５５】
このようにタッチパネルをブラインドタッチで操作するとき、撮影レンズ１３を交換して撮影レンズをズームした場合でも、必要に応じてタッチ領域の適正な補正を行うため、撮影者はタッチ操作上の違和感を感じることなく、直感的な操作で的確なタッチ操作を行うことができる。
【００５６】
なお、上述した実施形態では、ＡＦエリア枠７０の移動操作をタッチ操作で行う例について述べたが、この操作に限るものではない。例えば、近年のデジタルカメラでは、タッチパネル上を決められた方向に撫でるジェスチャ操作だけでシャッタを切る操作等を行う様になっているが、この様な操作にも上述した実施形態を適用することも可能である。
【００５７】
次に本発明の第２の実施形態について説明する。撮影レンズ１３がズームされた場合、光学式ビューファインダ内の視野も変倍レンズ６４ａ，６４ｂの移動によりズームされる。撮影レンズ１３が交換式でなく固定式の場合には、撮影レンズ１３のズームと光学式ビューファインダ内の視野のズームも１：１に対応するように設計されるが、レンズ交換式の場合には、光学式ビューファインダ内のズームが連続的でなく、非連続にズームされるようなファインダ（変倍ズームファインダ）も存在する。つまり、光学式ビューファインダの被写体光学像の画角と、撮影レンズ１３を通した撮影画角とが一致しないレンズ交換があり得る。
【００５８】
図１０（ａ）は、このような撮影レンズ１３と変倍ズームファインダのファインダ装置１５との組み合わせにおけるＯＶＦのズーム位置と撮影レンズの撮影枠との関係を示す図である。図示の例では変倍ズームは２段に変化し、ｐｏｓ０〜ｐｏｓ１のズーム範囲とｐｏｓ１以上テレ端までのズーム範囲とで、撮影枠サイズの変化が異なっている。ここで、ｐｏｓ０とは第１の変倍レンズの可動域の可動開始端の位置であり、ｐｏｓ１とはこの可動域の可動終了端且つ、第２の変倍レンズの可動域開始端の位置である。
【００５９】
従って、この様な変倍ズームファインダを用いた場合、図９で説明した実施形態を各領域ｐｏｓ０〜ｐｏｓ１、ｐｏｓ１以上テレ端までに適用して、図１０（ｂ）に示す様に、各領域毎にタッチパネル上のタッチ領域が限界サイズ以下とならないようにしただけでは、ｐｏｓ１の位置すなわち両領域の境界位置でタッチ領域に段階的変化が起きてしまい、タッチ操作で違和感が生じてしまう。
【００６０】
そこで、この様な変倍ズームファインダを用いる場合には、図１１に示す様に、全領域（ｐｏｓ０〜テレ端）において、特性線７５に示す様に、タッチ領域が連続的且つ一律に変化し且つ限界サイズ以下にならない様に制御するのが良い。
【００６１】
図１２は、図１１で説明したタッチ領域の制御を行う処理手順を示すフローチャートである。図８の処理手順に同じステップには同一ステップ番号を付けてその説明は省略し、異なるステップについてのみ説明する。
【００６２】
本実施形態では、図８のフローチャートに比べて、ステップＳ４とステップＳ５との間にステップＳ２１，Ｓ２２を設けた点だけが異なる。ステップＳ２１では、カメラ１０に搭載されたファインダ装置１５が変倍ファインダであるか否かを判定し、変倍ファインダでない場合にはステップＳ２２を飛び越してステップＳ５に進む。
【００６３】
変倍ファインダの場合にはステップＳ２１からステップＳ２２に進み、変倍エリア補正（タッチパネルのタッチ領域を、図１１で説明した特性線７５に従って補正する処理）を行ってから、ステップＳ５に進む。
【００６４】
この様に、図１２の実施形態によれば、変倍間のタッチ領域サイズが連続的に変化する様に制御するため、変倍の切り替えポイントでもタッチ領域の大きさが極端に変動することなく、自然なタッチ操作を行うことができる。
【００６５】
次に、本発明の第３の実施形態について説明する。レンズ交換式のデジタルカメラでは、撮影レンズ１３とファインダ装置１５の組み合わせによって、図１３（ａ）に示す様に、光学式ファインダによる被写体光学像の視野領域（例えば、図１３（ａ）のｐｏｓ０の位置の視野範囲）が撮影レンズのワイド端における撮影領域よりも狭くなることがある。
【００６６】
このような場合に、上述した実施形態の様に、図１３（ｂ）の特性線７６に示す様にタッチ領域の補正を行い、タッチ領域サイズの最大サイズをＯＶＦ視野範囲（ｐｏｓ０の位置の視野範囲）と同じにし、テレ端で限界サイズにすると、周辺領域にピントを合わせたい時、きちんとＡＦエリア枠を設定できない可能性がある。
【００６７】
そこで、図１４の特性線７７に示すように、ワイド端でタッチ領域を最大サイズとし、テレ端で限界サイズにすると、タッチ領域サイズがタッチパネルの範囲内に収まるというメリットはあるが、ワイド端付近におけるズームポジション位置で、ＯＶＦ視野範囲と撮影領域とが１：１に対応するズーム領域以降から限界サイズまでの差７８が少なくなってしまい、狭いタッチ領域内で操作しなければならない状態になってしまう。
【００６８】
また、図１５の特性線７９に示す様に、撮影レンズのワイド端からｐｏｓ０まで範囲（撮影領域≧ＯＶＦ視野範囲）で最大サイズをクリップするような制御も考えられる。こうすると、撮影領域≧ＯＶＦ視野範囲では、タッチパネル上を指で操作する移動量が同じでも、ＯＶＦ内での移動量がどんどん大きくなってしまい、操作が困難になってしまう。
【００６９】
そこで、本実施形態では、撮影領域≧ＯＶＦ視野範囲となる領域では、図１６に特性線８０で示す様に、タッチ領域の補正を行う。即ち、撮影レンズのワイド端からｐｏｓ０までの範囲では、ワイド端でタッチ領域を限界サイズとし、ｐｏｓ０位置ではタッチ領域を最大サイズとする。ｐｏｓ０からテレ端までの範囲では、ｐｏｓ０位置でタッチ領域を最大サイズとし、テレ端では限界サイズとする。
【００７０】
これにより、撮影領域≧ＯＶＦ視野範囲となるところでタッチ領域サイズが変わっても、ファインダ内のＡＦエリア枠の移動量が大きく変化しないようなタッチ領域の補正を行うことができ、ズーム位置が変わった場合でも自然なタッチ操作を行うことが可能となる。
【００７１】
図１７は、上述した実施形態を実施する処理手順を示すフローチャートである。図１２の実施形態のフローチャートに対して、ステップＳ６とステップＳ７との間にステップＳ３１，Ｓ３２を追加した点だけが異なるため、同じステップには同一ステップ番号を付してその説明は省略し、異なるステップについてだけ説明する。
【００７２】
ステップＳ３１では、撮影領域≧ＯＶＦ視野範囲であるか否かを判定する。この判定結果が肯定（Ｙｅｓ）の場合には、ステップＳ３２に進み、ＯＶＦ視野範囲外のワイド端でタッチ領域が限界サイズとなるように設定し、つまり、タッチ領域の大きさがズーム位置に応じて図１６の特性線８０となるように補正し、ステップＳ７に進む。ステップＳ３１の判定結果が否定（Ｎｏ）の場合には、この補正は不要のため、ステップＳ７に進む。
【００７３】
次に、本発明の第４の実施形態について説明する。レンズ交換式のカメラボディに装着されているファインダ装置１５と撮影レンズ１３との組み合わせによって、ズーム倍率が大きく手ブレが発生し易い状況になる場合がある。この様な場合、タッチパネルにブラインドタッチする際の指先も安定せず、特にタッチ領域が限界サイズに近いところでは、ＡＦエリア枠の設定範囲もシビアになり、ＡＦエリア枠の設定を安定して行えない可能性が生じる。
【００７４】
このように、撮影レンズ１３を通した撮影画角や変倍レンズを通した光学式ファインダの視野画角が揺れるような状況で、タッチ領域内の目的位置に正確にブラインドタッチすることは難しい。
【００７５】
そこで、本実施形態では、ジャイロセンサ情報から手ブレの有無を判定し、手振れが有り、かつタッチ領域のサイズが限界サイズに近い場合には、ブレ量に応じてタッチ領域のエリアを拡大する処理を行う。図１８で示すと、手振れが無いときのタッチ領域サイズの補正後の特性線８１に対して、手振れが有るときは特性線８２に補正する。
【００７６】
なお、図２にはジャイロセンサは図示していないが、ジャイロセンサを図１の筐体１１に固定して設け、この検出信号を図２のＣＰＵ３２が取り込む構成とすればよい。
【００７７】
図１９は、本実施形態の処理手順を示すフローチャートである。図８の実施形態のフローチャートに比べてステップＳ８とステップＳ９との間にステップＳ４１，Ｓ４２を入れた点だけが異なるため、図８と同じ処理ステップには同じステップ番号を付けてその説明は省略し、異なる点だけを説明する。
【００７８】
ステップＳ８で画角枠がファインダ内に表示された後、ステップＳ４１でＣＰＵ３２はジャイロ情報を取得する。そして、次のステップＳ４２で、図１８に示すように、ステップＳ６で設定された特性線８１を、特性線８２に補正する。どの程度、特性線８１を特性線８２にずらす（タッチ領域を拡大する）かは、ジャイロセンサが検出した手振れ量に応じ、手振れが大きいほどタッチ領域を大きくする。ずらす量の上限つまりタッチ領域の最大値は、ステップＳ４で決定した最大サイズである。
【００７９】
次に、本発明の第５の実施形態について説明する。上述し図１９の実施形態では、手振れ量に応じてタッチ領域を拡大してタッチし易い様に制御したが、手振れが極端にひどいときや、流し撮りなどを行っているときには、タッチ領域を拡大すると更に指先の移動量を大きくしないといけないため、却ってカメラのホールドが難しくなり、ＡＦエリア枠のコントロールが難しくなるときがある。
【００８０】
そこで、ジャイロセンサから得られる手ブレ量がある閾値を越えた場合には、
タッチ領域を拡大するのではなく、図２０に示す様に、タッチ領域７２に対応する画角枠７１を複数領域（図示の例では５×５＝２５の領域）８３に分割し、タッチ位置の移動方向つまり指先を動かした方向を解析し、指先を動かした方向にある分割エリア８３にＡＦエリア枠７０を移動させる様にする。
【００８１】
前述の第４実施形態では、ＡＦエリア枠７０を任意にタッチ位置に応じて移動させたが、本実施形態では、離散的な分割エリア８３毎に移動させるため、手振れが酷いときに安定したＡＦエリア枠８３の設定が可能となる。
【００８２】
図２１は、第５実施形態に係る処理手順を示すフローチャートである。図１９の処理手順に比較してステップＳ４３〜Ｓ４９を追加したフローチャートとなってるため、同じ処理ステップには同じステップ番号を付してその説明は省略し、異なるステップを中心に説明する。
【００８３】
第４実施形態と同様に、ステップＳ４１でジャイロ情報を取得し、ステップＳ４２でタッチ領域サイズをブレ補正した後、次のステップＳ４３で、ブレ量が閾値より大であるか否かを判定する。閾値以下のブレ量の場合には、ステップＳ４４に進み、フリーエリア方式（第４の実施形態と同じ）を選択してステップＳ９に進み、タッチ領域（タッチエリア）を設定する。ブレ量が閾値より大の場合にはステップＳ４５に進み、方向判別エリア選択方式（図２０で説明した方式）を選択してステップＳ９に進み、タッチ領域を設定する。
【００８４】
ステップＳ１０でタッチパネルの操作有りと判定された場合にはステップＳ４６に進み、方向判別エリア方式が選択されたか否かを判定する。この判定結果が否定の場合にはステップＳ４９に進んでフリーエリアによるエリア設定、つまりステップＳ９で設定されたタッチ領域内でタッチされた位置にＡＦエリア枠を設定し、ステップＳ１１に進む。
【００８５】
ステップＳ４６で方向判別エリア方式が選択されていると判定された場合つまり判定結果が肯定（Ｙｅｓ）の場合には、ステップＳ４７に進み、指先の動く方向を識別し、次のステップＳ４８で指先の動く先の図２０で説明した分割エリア８３をＡＦエリア枠として選択して、ステップＳ１１に進む。
【００８６】
以上述べた実施形態によれば、手振れが閾値より大きい場合には、ＡＦエリア枠の設定を自由設定状態から分割エリア選択制御方式に切り替えるため、安定したフォーカスエリア枠の設定が実現可能となる。
【００８７】
以上述べた様に、実施形態の撮像装置及びその制御方法は、被写体光像を観察可能な光学式ファインダと表示装置の表示画像からの光像を前記光学式ファインダにおいて観察される被写体光像に重畳する電子式ファインダとを併せ持つファインダと、焦点距離を変更可能な撮影レンズと、前記撮影レンズを通して被写体からの入射光を受光して被写体光像に応じた撮像画像信号を出力する固体撮像素子と、前記光学式ファインダにおいて観察される被写体光像上の位置をタッチ操作によって指定するタッチパネルとを備える撮像装置において、前記タッチパネル上においてタッチ操作を行えるタッチ領域のサイズを前記焦点距離が大きいほど小さく変更し、かつ、該タッチ領域のサイズが、前記タッチ操作可能な最小限界である限界サイズよりも小さくなるのを制限する制御手段を備えることを特徴とする。
【００８８】
また、実施形態の撮像装置の前記制御手段は、前記タッチ領域の最大サイズと前記限界サイズとの間で、前記焦点距離に対して単調減少するように前記タッチ領域のサイズを変更することを特徴とする。
【００８９】
また、実施形態の撮像装置は、前記光学式ファインダの倍率を前記焦点距離に応じて段階的に変更する変倍手段を備え、前記制御手段は、前記光学式ファインダの倍率にかかわらず前記焦点距離を変更可能な範囲に渡って、該焦点距離に応じて単調減少するように前記タッチ領域のサイズを変更することを特徴とする。
【００９０】
また、実施形態の撮像装置の前記制御手段は、前記撮影レンズの撮影領域が前記光学式ファインダの視野範囲よりも大きくなる前記焦点距離の範囲では、前記限界サイズと前記最大サイズとの間で、前記焦点距離に対して単調増加するように前記タッチ領域のサイズを変更することを特徴とする。
【００９１】
また、実施形態の撮像装置は、手振れを検出する手振れ検出手段を備え、前記制御手段は、前記手振れが大きいほど前記タッチ領域のサイズを大きく補正することを特徴とする。
【００９２】
また、実施形態の撮像装置は、手振れを検出する手振れ検出手段と、前記手振れの大きさが閾値未満の場合は、前記タッチ操作で指定した位置に基づいて、前記光学式ファインダにおいて観察される被写体光像上の領域を決定し、前記手振れの大きさが閾値以上の場合は、前記被写体光像上の複数の部分領域のうちの少なくとも１つを、前記タッチ操作で指定した位置の変化に応じて選択する領域決定手段とを備えることを特徴とする。
【００９３】
以上述べた実施形態によれば、撮影者は、ファインダを覗きながらブラインドタッチ操作でタッチパネルを操作するときの操作感が阻害されることがなくなり、直感的にタッチ操作することが可能となる。
【産業上の利用可能性】
【００９４】
本発明に係る制御方法は、タッチパネル上のタッチ領域の広さを、撮影レンズのズーム倍率に応じて変化させるとき限界サイズ以下にはしないようにしているため、ファインダを覗きながらブラインドタッチ操作するときの操作感を阻害することなく直感的にタッチ操作することができ、ファインダを搭載したデジタルカメラに適用すると有用である。
【符号の説明】
【００９５】
１０  デジタルカメラ（撮像装置）
１１  カメラ筐体
１３  レンズ交換式の撮影レンズ
１４  シャッタボタン
１５  ファインダ装置
１６  ファインダ窓
１７  撮影者側ファインダ覗き窓
３２  ＣＰＵ
４０  タッチパネル付きの液晶表示装置
６１  ＥＶＦ
６２  液晶シャッタ
６３  ハーフミラー
６４ａ，６４ｂ  変倍レンズ
【図１】
2013080996.tif 000003
【図２】
2013080996.tif 000004
【図３】
2013080996.tif 000005
【図４】
2013080996.tif 000006
【図５】
2013080996.tif 000007
【図６】
2013080996.tif 000008
【図７】
2013080996.tif 000009
【図８】
2013080996.tif 000010
【図９】
2013080996.tif 000011
【図１０】
2013080996.tif 000012
【図１１】
2013080996.tif 000013
【図１２】
2013080996.tif 000014
【図１３】
2013080996.tif 000015
【図１４】
2013080996.tif 000016
【図１５】
2013080996.tif 000017
【図１６】
2013080996.tif 000018
【図１７】
2013080996.tif 000019
【図１８】
2013080996.tif 000020
【図１９】
2013080996.tif 000021
【図２０】
2013080996.tif 000022
【図２１】
2013080996.tif 000023